(57)【特許請求の範囲】
【請求項１】
情報提供者によって優先度が高く設定された強制表示情報を基地局から受信し、前記強制表示情報が複数重なった場合には予め定められた規則に基づいて表示し、前記強制表示情報をメモリに保持してその内容を後に呼び出して確認可能とする移動通信端末において、
所定のキーが押下されたとき、表示中の強制表示情報を未読のままメモリに保存して、待ち受け状態に移行する手段と、
前記所定のキーとは異なる別のキーが押下されたとき、表示中の強制表示情報を未読のままメモリに保存して、未表示の強制表示情報を表示する手段と、の少なくともどちらか一方を具備し、
前記いずれかの手段の操作によって未読のまま前記メモリに保持された前記強制表示情報は、呼び出されたときに既読の強制表示情報と識別可能な状態で表示される、ことを特徴とする移動通信端末。
【請求項２】
請求項１に記載の移動通信端末において、
前記強制表示情報が複数重なった場合に前記所定のキーが押下されたときに未表示の強制表示情報があり、かつ前記所定のキー押下後にユーザ操作のない待ち受け状態が所定時間続いたとき、前記未表示の強制表示情報を表示する手段を具備したことを特徴とする移動通信端末。
【請求項３】
請求項１又は請求項２に記載の移動通信端末において、
前記強制表示情報が複数重なった場合に、前記別のキーが押下されたときに未表示の強制表示情報がなければ、待ち受け状態に移行する手段を具備したことを特徴とする移動通信端末。
【発明の詳細な説明】
【０００１】
【発明の属する技術分野】
本発明は移動通信端末に係り、特に、最寄りの基地局から配信されるステーション情報を自動的に受信する機能を具備した移動通信端末に関する。
【０００２】
【従来の技術】
近年、移動通信端末（特に、携帯電話機）向けの情報提供サービスが急速に普及している。そして、これに伴い端末本体の機能も進化し、多種多様な情報サービスを受けることが可能になっている。提供される情報サービスは天気予報からスポーツニュース・交通情報まで、そのジャンルにおいても多岐に及んでおり、ユーザは移動中や外出先でも様々な情報を取得することができる。また、情報提供者が優先度を高く設定した情報（強制表示情報）を携帯電話機に自動的に表示することも可能になった。
【０００３】
【発明が解決しようとする課題】
しかしながら、特に複数の強制表示情報を同時に受信した直後に、別の画面を表示させたり別の操作を行いたい場合など、上記強制表示情報を簡単に画面上から外せなければ利便性に欠けるものとなる。
本発明は上記の点に鑑みてなされたもので、簡易な操作で強制表示情報を未読のまま表示部から外すことを可能にすることで、ユーザの見たい画面、やりたい操作を優先させることのできる移動通信端末を提供することを目的とする。
【０００４】
【課題を解決するための手段】
本発明は課題を解決するため、次のような手段を用いる。
（１）情報提供者によって優先度が高く設定された強制表示情報を基地局から受信し、前記強制表示情報が複数重なった場合には予め定められた規則に基づいて表示し、前記強制表示情報をメモリに保持してその内容を後に呼び出して確認可能とする移動通信端末において、
所定のキーが押下されたとき、表示中の強制表示情報を未読のままメモリに保存して、待ち受け状態に移行する手段と、
所定のキーとは異なる別のキーが押下されたとき、表示中の強制表示情報を未読のままメモリに保存して、未表示の強制表示情報を表示する手段と、の少なくともどちらか一方を具備し、
前記いずれかの手段の操作によって未読のまま前記メモリに保持された前記強制表示情報は、呼び出されたときに既読の強制表示情報と識別可能な状態で表示される。
（２）(１)の移動通信端末においては、強制表示情報が複数重なった場合に前記所定のキーが押下されたときに未表示の強制表示情報があり、かつ前記所定のキー押下後にユーザ操作のない待ち受け状態が所定時間続いたとき、未表示の強制表示情報を表示する手段を具備することが好ましい。
【０００５】
（３）(１)または(２)の移動通信端末においては、強制表示情報が複数重なった場合に、前記別のキーが押下されたときに未表示の強制表示情報がなければ、待ち受け状態に移行する手段を具備することが好ましい。
【０００６】
【発明の実施の形態】
次に図１〜７を参照して本発明による移動通信端末の実施の形態を詳細に説明する。ここで、図１は本発明の実施の形態としての携帯電話機を示す機能ブロック図、図２は本実施の形態である携帯電話機に提供される情報サービスの概要図、図３及び図４は本発明の実施の形態を説明するための画面遷移図、図５は強制表示の順番を説明するための図、図６及び図７は本発明の実施の形態を説明するための画面遷移図である。
【０００７】
図１を参照すると、本発明による移動通信端末を携帯電話機に適用した実施の形態を示す機能ブロック図が示されている。同図において、アンテナが接続される送受信回路部１０は、移動通信端末における送受信処理を、ＣＰＵを内臓した制御部１２に制御されることにより行う回路である。すなわち、送受信回路部１０は音声メッセージや文字メッセージまたは制御信号等を高周波により変調してアンテナより送出したり、アンテナより受信した音声メッセージや文字メッセージまたは制御信号等を復調して制御部１２に出力する。
【０００８】
制御部１２は、フラッシュメモリ１４に記憶されたプログラムやデータに従って、キー操作部２４および送受信回路部１０からの制御信号により動作し、送受信回路部１０、ＬＣＤドライバ１８および音声処理部２６を制御する。また、制御部１２はＲＡＭ１６に接続され、ＲＡＭ１６をフラッシュメモリ１４に記憶されたプログラムを実行するときのワークエリアとして使用する。ＲＡＭ１６には、文字入力の際の辞書機能の１つである学習機能データも記憶される。フラッシュメモリ１４は、メッセージセンタから受信した文字メッセージや文字パターン（英、数字も含む）／アイコン（図形）などのフォント情報を記憶し、さらに電話帳メモリとしても使用され、複数の電話番号および氏名等を記憶する。
【０００９】
ＬＣＤドライバ１８は制御部１２の制御に従ってＬＣＤ表示部２２を駆動してこれの表示を行う。すなわち、ＬＣＤドライバ１８は、制御部１２からの制御信号に対応する文字パターン（英、数字も含む）やアイコン（図形）パターンをフラッシュメモリ１４から読み出し、ＬＣＤ表示部２２に表示する。音声処理部２６は、スピーカ２８およびマイク３０に接続され、制御部１２から入力した音声信号を増幅してスピーカ２８で出力したり、マイク３０で入力した音声信号を増幅して制御部１２に出力する処理を行う。
【００１０】
照明３２はキー押下時や着信時等に制御部１２によって点灯、消灯制御され、点灯するとキー操作部２４およびＬＣＤ表示部２２を明るく照明する。バイブレータ３４は制御部１２に接続され、この制御部１２の制御の下、着信時等に振動してそれを知らせる。リンガ又はスピーカ３６は制御部１２によって制御され、着信時等に鳴動してそれを知らせる。着信ＬＥＤ（着信発光ダイオード）３８は制御部１２に接続され、この制御部１２による制御の下、着信時等に点滅してそれを知らせる。
【００１１】
図２（ａ）〜（ｃ）は図１で説明した携帯電話機で受けることのできる情報提供サービスの具体例である。同図（ａ）に示すのがリクエストサービスの概要図であり、（ｂ）に示すのが自動配信サービスの概要図であり、（ｃ）に示すのがステーションサービスの概要図である。
図２（ａ）のリクエストサービスは、携帯電話機２００のＬＣＤ表示部２２にメニューリストを表示させ、キー操作部２４を使って当該メニューを選択したり、キーワードを入力するなどしてリクエストメッセージ２０１を情報サービスセンタ２０３に送信し、リクエストメッセージ２０１を受取った情報サービスセンタ２０３が蓄積している情報を携帯電話機２００に配信する仕組みになっている。
【００１２】
図２（ｂ）の自動配信サービスでは、携帯電話機２００のＬＣＤ表示部２２にメニューを表示させ、キー操作部２４を使って取得したい情報の種類や受け取りたい日時などを入力し、設定メッセージ２０５として情報サービスセンタ２０３に送信する。設定メッセージ２０５を受取った情報サービスセンタ２０３は指定日時がきたら、蓄積している所定の種類の情報を携帯電話機２００に自動的に配信する仕組みになっている。
【００１３】
図２（ｃ）のステーションサービスは、同図（ａ）リクエストサービスや（ｂ）自動配信サービスのようなリクエスト・アクセス型の情報提供サービスとは異なり、情報提供者２０９が発信した情報を基地局２０７が受け取り、基地局２０７から配信されるその情報を携帯電話機２００が自動的に受信する仕組みになっている。
【００１４】
図３は携帯電話機２００のキー操作部２４の拡大図である。チェックキー３０１はＬＣＤ表示部２２にリストメニューを表示させる時などに押下する機能キーであり、事業者サービスキー３０３はテンキー３１１を続けて押下することにより所定の操作画面に移行するための機能キーであり、モードセット（MODE/SET）キー３０９は各項目を選択したり確定したりするときに使用する多方向操作キーである。また、オンフックキー３０５は電話を切るときなどに押下するキー、オフフックキー３０７は電話を受けたり、情報サービスセンタ２０３との通信を開始したりするとき等に押下するキーである。その他、テンキー３１１は相手先の電話番号を入力したり、送信メッセージを入力するときなどに押下するキーである。以下、本実施の形態では図３で用いたキー名称と符号とを引用する。
【００１５】
次に、図４の携帯電話機２００のＬＣＤ表示部２２の画面遷移図を参照して、メインリストから当該ステーション情報を確認するときの操作例を説明する。図示しない待ち受け画面において、事業者サービスキー３０３→「３」と表記されたテンキー３１１の順でキーを押下すると、メニュー選択画面４０１が表示される。同画面の１行目には選択中のアイコンの機能名（ステーション）が表示され、その下に左端からメールアイコン、ウェブアイコン、ステーションサービスアイコンの３つのアイコンが表示されている。
【００１６】
メニュー選択画面４０１の状態で「１」と表記されたテンキー３１１を押下すると、メールアイコンが選択され、メールセンタを介して相手の携帯電話機やインターネットに接続しているパソコンなどとの間で文字メッセージを授受することができる。メニュー選択画面４０１の状態で「２」と表記されたテンキー３１１を押下すると、ウェブアイコンが選択され、情報サービスセンタ２０３に蓄積されている様々な情報（本実施の形態では「ウェブ情報」と称す）を携帯電話機２００で入手することができる。本実施の形態ではメニュー選択画面４０１の状態で「３」と表記されたテンキー３１１を押下したときの説明をする。
【００１７】
メニュー選択画面４０１の状態で「３」と表記されたテンキー３１１を押下すると、ステーションサービスの各機能に対応したアイコン一覧（ステーションメニュー）が表示される（画面４０３）。以下に、画面４０３に表示されている合計８つのアイコンの機能名と機能概要とを記載する。
（１）メインリスト（画面４０３上段左）
最寄りの基地局から配信された全てのステーション情報をジャンル別タイトル別に分類したリスト。
（２）マイリスト（画面４０３上段中央）
メインリストの中からユーザがピックアップしたタイトルをマイリストに登録しておくと、このリストのタイトルが更新される毎に「新着情報」としてユーザに通知される。
（３）情報ボックス（画面４０３上段右）
メインリスト、又はマイリストの情報を蓄積型にメッセージ変換したものが保存される。一度保存した情報は手動で消去しない限り消去されない。
【００１８】
（４）リスト更新（画面４０３中段左）
メインリストを最新の情報に更新する。
（５）ユーザ設定（画面４０３中段中央）
ステーションサービスの各種設定を行う。
（６）位置情報ボックス（画面４０３中段右）
現在地の位置情報を取得したり、取得した位置情報を掲示板に設定する。
（７）申込内容確認（画面４０３下段左）
有料情報受信の設定を確認する。
（８）新着情報（画面４０３下段中央）
新しく受信した情報を確認する。
【００１９】
画面４０１と同様に、画面４０３の１行目には選択中のアイコンの機能名（メインリスト）が表示される。画面４０３の状態でモードセットキー３０９を押下すると、メインリスト内の全ジャンルが表示される（画面４０５）。メインリストの欄外（画面４０５の最下部）にはステータス表示部が設けられ、メインリスト全件中の何件目のジャンルを選択しているか表示される。画面４０５の状態では６３件中の1件目（天気予報）を選択していることが表示されている。
【００２０】
画面４０５の状態でモードセットキー３０９を押下すると、選択ジャンル（この場合、天気予報）内の全タイトルが表示される（画面４０７）。このリストの欄外（画面４０７の最下部）にはステータス表示部が設けられ、選択ジャンル内の全タイトルのうち何件目のタイトルを選択しているか表示される。画面４０７の状態では１０件中の1件目（今日・明日・週間の天気）を選択していることが表示されている。
【００２１】
画面４０７の状態でモードセットキー３０９を押下すると、当該ジャンル−当該タイトルに対応した内容の情報（この場合、「今日・明日・週間の天気」）が表示される（画面４０９）。
ステーション情報の中でも情報提供者２０９が優先度を高く設定した情報（強制表示情報）は、携帯電話機２００のＬＣＤ表示部２２に自動的に表示される。そして、同じ優先度をもつ強制表示情報が同時に送られてきた場合には、その情報の種類によって表示される順番が決まる。
【００２２】
図５を参照すると、本実施の形態による強制表示情報（合計９）の表示順が示されている。同図からわかるように、強制表示情報５０１は優先度▲３▼→▲２▼→▲１▼の順、同一優先度の場合には「緊急情報」→「広告情報」→「通常情報」の順で表示されるように定められている。
【００２３】
図６は優先度▲３▼の緊急情報６０１、優先度▲２▼の広告情報６０３、及び優先度▲１▼の通常情報６０５が同時に送られてきた場合の表示順を示した図である。これら３つの強制表示情報を受信した携帯電話機２００のＬＣＤ表示部２２には、まず最初に緊急情報６０１が表示される。そして、この状態でオンフックキー３０５を押下すると、待ち受け画面６０７（待ち受け状態）に移行し、６０１〜６０５の強制表示情報は未読のまま携帯電話機２００のＲＡＭ１６に保持される。
【００２４】
図６に示した強制表示情報６０１〜６０５のうち、広告情報６０３及び通常情報６０５は未表示である。オンフックキー３０５押下後、ユーザ操作のない待ち受け状態が所定時間（例えば、１０秒間）続いた場合には、これら未表示の広告情報６０３及び通常情報６０５をＬＣＤ表示部２２に表示する。その際には、前述の表示順にしたがって広告情報６０３から先に表示する。
【００２５】
図７は優先度▲３▼の緊急情報６０１、優先度▲２▼の広告情報６０３、及び優先度▲１▼の通常情報６０５が同時に送られてきた場合の表示順を示した図である。これら３つの強制表示情報を受信した携帯電話機２００のＬＣＤ表示部２２には、まず最初に緊急情報６０１が表示される。そして、この状態で事業者サービスキー３０３を押下すると広告情報６０３が表示され、緊急情報６０１は未読のまま携帯電話機２００のＲＡＭ１６に保持される。
【００２６】
ひきつづき、広告情報６０３が表示されている状態で事業者サービスキー３０３を押下すると通常情報６０５が表示され、広告情報６０３も未読のまま携帯電話機２００のＲＡＭ１６に保持される。ひきつづき、通常情報６０５が表示されている状態で事業者サービスキー３０３を押下すると待ち受け画面６０７が表示され、通常情報６０５も未読のまま携帯電話機２００のＲＡＭ１６に保持される。
【００２７】
一方、広告情報６０３が表示されている状態でオンフックキー３０５を押下すると、待ち受け画面６０７（待ち受け状態）に移行し、広告情報６０３は未読のまま、通常情報６０５は未読・未表示のまま携帯電話機２００のＲＡＭ１６に保持される。オンフックキー３０５押下後、ユーザ操作のない待ち受け状態が所定時間（例えば、１０秒間）続いた場合には、未表示の通常情報６０５をＬＣＤ表示部２２に表示する。
なお、図６及び図７で説明した操作手順によって未読のままＲＡＭ１６に保持された強制表示情報６０１〜６０５は別の操作手順で呼び出され、その際、既読の強制表示情報と識別可能な状態（例えば、赤字で表示するなど）で表示される。
【００２８】
このように、本発明の実施の形態である携帯電話機によれば、強制表示情報を未読のまま表示部から外すことが可能になり、ユーザの見たい画面を優先させて表示したり、ユーザのやりたい操作を優先させて行うことが可能になる。
また、強制表示情報はその後呼び出されたときに未読／既読が識別できるため、表示部から外したのちも確実に確認することができる。
【００２９】
【発明の効果】
以上詳細に説明したように、本発明によれば、簡易な操作で強制表示情報を未読のまま表示部から外すことを可能にすることで、ユーザの見たい画面、やりたい操作を優先させることのできる移動通信端末を提供することが可能である。
【図面の簡単な説明】
【図１】本発明の移動通信端末の実施の形態を示すブロック図。
【図２】本発明の実施の形態である携帯電話機に提供される情報サービスの概要図。
【図３】本発明の実施の形態である携帯電話機のＬＣＤ表示部の画面遷移図。
【図４】本発明の実施の形態である携帯電話機のＬＣＤ表示部の画面遷移図。
【図５】優先度及び情報の種類に基づく強制表示情報の表示順を示した図。
【図６】本発明の実施の形態である携帯電話機のＬＣＤ表示部の画面遷移図。
【図７】本発明の実施の形態である携帯電話機のＬＣＤ表示部の画面遷移図。
【符号の説明】
１２  制御部
１４  フラッシュメモリ
１６  ＲＡＭ
２２  ＬＣＤ表示部
【図１】
0003997277.tif 000002
【図２】
0003997277.tif 000003
【図３】
0003997277.tif 000004
【図４】
0003997277.tif 000005
【図５】
0003997277.tif 000006
【図６】
0003997277.tif 000007
【図７】
0003997277.tif 000008